(57)【要約】【課題】背凭れ側における被取付面の面積を大きくすることで、ハンガーやヘッドレストといったオプション部材を強固に、且つ容易に背凭れに取り付けることができる。【解決手段】オプション部材６０を取り付けてなる背凭れ５０に、椅子の幅方向Ｘに沿って延在するとともに、下方に向けて凸となる被取付面５４ｇを有する本体支持部材５４が備えられ、オプション部材６０が被取付面５４ｇの凸状部分に係合する取付面６３ａ、６５ａを有する背凭れ取付部６３、６５を備えた構成の椅子を提供する。【選択図】図８
2014079492.tif 000002
【特許請求の範囲】
【請求項１】
オプション部材を背凭れに取り付けてなる椅子であって、
前記背凭れは、当該椅子の幅方向に沿って延在するとともに、上方および下方の少なくとも一方に向けて凸となる被取付面を有するオプション取付部を備え、
前記オプション部材は、前記被取付面に係合する取付面を有する背凭れ取付部を備えていることを特徴とする椅子。
【請求項２】
前記背凭れ取付部は、
前記幅方向に沿って延在し、前記取付面を有する第１取付板と、
該第１取付板における前後方向の後端から上方に向けて延びるとともに、前記オプション取付部の後側面に当接する第２取付板と、
を備えていることを特徴とする請求項１に記載の椅子。
【請求項３】
前記被取付面および前記取付面のいずれか一方に位置決め凸部が形成され、他方に該位置決め凸部に嵌合する位置決め凹部が形成されていることを特徴とする請求項１又は２に記載の椅子。
【請求項４】
前記背凭れは、少なくとも上方に前記幅方向に延びる上枠部を備える枠部材に張り材を張設して構成されており、
前記上枠部が、前記オプション取付部であることを特徴とする請求項１乃至３のいずれか１項に記載の椅子。
【請求項５】
複数のオプション部材が、それぞれの背凭れ取付部の取付面同士を上下方向に重ね合わせて前記オプション取付部に取り付けられることを特徴とする請求項１乃至４のいずれか１項に記載の椅子。
【請求項６】
前記被取付面及び前記取付面は、前記幅方向に沿って湾曲していることを特徴とする請求項１乃至５のいずれか１項に記載の椅子。
【発明の詳細な説明】
【技術分野】
【０００１】
本発明は、背凭れに例えばハンガーやヘッドレストといったオプション部材を取り付けることが可能な椅子に関する。
【背景技術】
【０００２】
従来、椅子として、脚体と、該脚体の上部に設けられた座部と、該座部に着座する着座者を支持する背部とを有することを基本構成として、脚体から後方且つ上方に向かって延出する背凭れ支持杆に支持され、上枠と下枠とを有し正面視で略五角形状に形成された背枠と、該背枠内に配設され弾性変形可能なネット部材と、を備える構成のものが知られている。
【０００３】
このような椅子においては、背凭れに例えばハンガーやヘッドレストといったオプション部材を取り付けることが可能な椅子があり、前記オプション部材が、背凭れの背面側において、椅子の幅方向に連続する取付面を有する部位（幅方向のフレーム）に取り付けられている（例えば、特許文献１、２参照）。
【０００４】
特許文献１には、背凭れを構成するフレーム部材のうち、上部のフレームが前フレームと後フレームとからなり、後方に位置する後フレームを、オプション部材としてのハンガーと、雌ねじ部を有する部材とによって、前後双方向から挟持する構造について記載されている。
特許文献２には、オプション部材としてのハンガーを、幅方向を向くフレームに前方から嵌合するフロント部材に対して脱落不能に嵌合するとともに、フレームに後方から嵌合するリア部材に上下方向への位置調整手段を設けた構成について開示されている。
【先行技術文献】
【特許文献】
【０００５】
【特許文献１】特許第４７４０６２６号公報
【特許文献２】特開２０１１−１３６０２４号公報
【発明の概要】
【発明が解決しようとする課題】
【０００６】
しかしながら、従来の椅子におけるオプション部材の取り付けは、以下のような問題があった。
すなわち、上記特許文献１では、後フレームが背凭れの着座面より後方に離間した部材であり、オプション部材が後方に張り出す構成であるため、デザイン性に課題があった。この構造を前フレームに適用すると、雌ねじ部を有する部材が着座面に設けられることとなり、着座者の背中に異物感を与える可能性があることから、その点で改良の余地があった。
【０００７】
また、特許文献２では、フロント部材とハンガーとの嵌合が上下方向に連続するあり溝となっており、しかもハンガーの上下位置調整に節度感を与えるべく配設されているゴムによって、ハンガーの後方へのがたつきを防ぐことが可能である一方で、ハンガーがフレームに直接連結されていないことから、取り付け強度に問題があった。さらに、リア部材の後方にゴムを配設する作業に手間がかかり、煩雑であるという課題もあった。
【０００８】
本発明は、上述する問題点に鑑みてなされたもので、背凭れ側における被取付面の面積を大きくすることで、ハンガーやヘッドレストといったオプション部材を強固に、且つ容易に背凭れに取り付けることができる椅子を提供することを目的とする。
【課題を解決するための手段】
【０００９】
上記目的を達成するため、本発明に係る椅子では、オプション部材を背凭れに取り付けてなる椅子であって、前記背凭れは、当該椅子の幅方向に沿って延在するとともに、上方および下方の少なくとも一方に向けて凸となる被取付面を有するオプション取付部を備え、前記オプション部材は、前記被取付面に係合する取付面を有する背凭れ取付部を備えていることを特徴としている。
【００１０】
本発明では、オプション部材の取付面が背凭れのオプション取付部における被取付面の凸状部分に一致する凹形状をなしているので、その取付面を被取付面に対して互いの凹凸部分を嵌合させることが可能となり、オプション部材の幅方向の位置合わせを容易に行うことができ、オプション部材を背凭れに効率よく取り付けることができる。
そして、取付面と被取付面との取り付け部分が面接触となるうえ、被取付面を凸状とすることで、平面の場合に比べて取付け面積を大きくすることが可能となるので、取付け強度を増大させることができ、オプション部材の取り付け状態を安定させることができる。とくに、背凭れの被取付面をその幅方向全体にわたる領域に設けることで、その被取付面の幅寸法をオプション部材の取付面よりも長く取ることが可能となるので、被取付面の幅寸法が取付面よりも短い場合よりも取り付け状態を安定させることができる。しかも、本発明では、前記被取付面が上方および下方の少なくとも一方に向けて凸となる形状であるので、いわゆるトラス効果をもたせることができ、被取付面の強度を大きくする効果を奏する。
【００１１】
また、前記被取付面及び取付面が互いに上下方向を向く面であり、オプション取付部に対してオプション部材の取付面を上下方向に取り付けることができ、その取り付け部分が背凭れの前面側に向けて突出することがないので、椅子に着座した人の背中に前記取り付け部分が当たることがないという利点がある。
【００１２】
また、本発明に係る椅子では、前記背凭れ取付部は、前記幅方向に沿って延在し、前記取付面を有する第１取付板と、該第１取付板における前後方向の後端から上方に向けて延びるとともに、前記オプション取付部の後側面に当接する第２取付板と、を備えていることが好ましい。
【００１３】
本発明による椅子によれば、オプション部材の背凭れ取付部が第１取付部板と第２取付板とによって断面視でＬ字状に形成されているので、このＬ字状部分をオプション取付部に後方から当てがうだけで容易にオプション部材を取り付けることができる。このとき、第２取付板が前記オプション取付部の後側面に当接することから、オプション部材の背凭れ取付部が背凭れのオプション取付部に対して前後方向に位置決めすることができる。
【００１４】
また、本発明に係る椅子では、前記被取付面および前記取付面のいずれか一方に位置決め凸部が形成され、他方に該位置決め凸部に嵌合する位置決め凹部が形成されていることが好ましい。
【００１５】
このように構成された椅子では、オプション部材の取付面と背凭れの被取付面とに互いに嵌合し合う位置決め凸部と位置決め凹部とが形成されているので、前記取付面と被取付面との嵌合をより容易に行うことができる。
【００１６】
また、本発明に係る椅子では、前記背凭れは、少なくとも上方に前記幅方向に延びる上枠部を備える枠部材に張り材を張設して構成されており、前記上枠部が、前記オプション取付部であってもよい。
【００１７】
この場合、背凭れが上枠部を備える枠部材の前面側に張り材を張設した構成となり、オプション取付部としての上枠部が後側に露出しているので、視認し易く、オプション部材をオプション取付部に対して後方からアクセスして容易に取り付けることができる。
【００１８】
また、本発明に係る椅子では、複数のオプション部材が、それぞれの背凭れ取付部の取付面同士を上下方向に重ね合わせて前記オプション取付部に取り付けられることが好ましい。
【００１９】
本発明では、複数のオプション部材のそれぞれの背凭れ取付部の取付面同士を上下に重ね合わせて、オプション取付部の被取付面に対して取り付けることができる。
【００２０】
また、本発明に係る椅子では、前記被取付面及び前記取付面は、前記幅方向に沿って湾曲していることが好ましい。
【００２１】
このように構成された椅子では、背凭れ側の被取付面が湾曲面を形成しているので、オプション部材の取付面を前記被取付面に沿って幅方向に動かすことができ、位置決め時の微調整が可能となる利点がある。
【発明の効果】
【００２２】
本発明の椅子によれば、背凭れ側における被取付面の面積を大きくすることで、ハンガーやヘッドレストといったオプション部材を強固に、且つ容易に背凭れに取り付けることができる。
【図面の簡単な説明】
【００２３】
【図１】本発明の実施の形態による椅子を前方から見た正面図である。
【図２】図１に示す椅子の背凭れ及びオプション部材を前方から見た正面図であって、張り材を省略した図である。
【図３】図２に示すＡ−Ａ線矢視図であって、背凭れ及びオプション部材の一部省略した側面図である。
【図４】上枠部の補助支持部材を取り外した状態を斜め前方から見た斜視図である。
【図５】（ａ）は椅子の通常時を上方から見た斜視図であり、（ｂ）は幅方向一方側から後方へと振り向くような姿勢をとった場合を上方から見た斜視図である。
【図６】図１に示すＰ−Ｐ線断面図であって、（ａ）は椅子の通常時の図、（ｂ）は着座者が背凭れに凭れかかった状態の図である。
【図７】変形例による椅子の作用を説明するための側面図である。
【図８】図２に示す背凭れとオプション部材とを分解した状態を斜め前方から見た斜視図である。
【図９】図２に示す背凭れとオプション部材とを分解した状態を斜め後方から見た斜視図である。
【図１０】オプション部材の取り付け構造を示す断面図であって、図１に示すＢ−Ｂ線断面図である。
【図１１】ヘッドレストを前方から見た正面図である。
【図１２】ハンガーを前方から見た正面図である。
【発明を実施するための形態】
【００２４】
以下、本発明の実施の形態による椅子について、図面に基づいて説明する。
【００２５】
図１に示すように、本実施の形態による椅子１は、床面Ｆ上に設けられた脚体１０と、該脚体１０に支持された背凭れ支持体２０と、該背凭れ支持体２０に設けられ着座者が着座可能な座部３０と、背凭れ支持体２０に支持された背凭れ後部支持部材４０と、該背凭れ後部支持部材４０に支持され着座者の背を支持する背凭れ５０と、背凭れ５０に取り付けられるオプション部材６０と、を備えている。
【００２６】
なお、以下の説明では、椅子１において、着座者が着座、離座する方向を前後方向Ｙ（図３及び図４参照）、着座者が着座する側を前方、反対側を後方とし、また、前後方向Ｙに直交する水平面内の方向を幅方向Ｘとし、幅方向Ｘで椅子１から離間する側を側方とする。
【００２７】
（脚体）
脚体１０は、床面Ｆ上を旋回可能なキャスタ１１が設けられた複数の脚杆１２と、該複数の脚杆１２に支持された脚柱１３とを備えている。複数の脚杆１２は、放射状に配されて基端で互いに連結されており、それぞれの先端にキャスタ１１が取り付けられている。脚柱１３は、下部が複数の脚杆１２の基端に連結されており、上方に向けて立設されている。また、この脚柱１３の上部には、背凭れ支持体２０を後傾可能とするリクライニング機構（図示省略）が内蔵された支基１４が取り付けられている。
【００２８】
（背凭れ支持体）
背凭れ支持体２０は、支基１４の幅方向両側方に基部が枢着されて前後方向に延びる腕部２１が設けられ、これら腕部２１のそれぞれの延在方向の中間部分から上向き腕部２２が上方に向かって延出するとともに座部３０を支持している。
一対の腕部２１は、それぞれの後端同士が連結され、その連結部分が後述する背凭れ後部支持部材４０の下部に固定されている。
また、図１に示すように、背凭れ支持体２０には、側方から上方に向かって延出する肘掛け２３が設けられている。
【００２９】
（座部）
座部３０は、支基１４に対して前後方向にスライド可能に前部が支持されるとともに、背凭れ支持体２０の上向き腕部２２に枢着されている。そして、支基１４のリクライニング機構により背凭れ支持体２０が後傾するにともない、座部３０は支基１４に対して相対的に後方に移動するとともに後側を下方に向かって傾動するように構成されている。
【００３０】
（背凭れ後部支持部材）
図２及び図３に示すように、背凭れ後部支持部材４０は、背凭れ支持体２０（図１参照）に連結された下部連結部４１と、該下部連結部４１から上方へ向かって延びる中間連結部４２と、該中間連結部４２の上端から上方に向かうに従って漸次、幅方向Ｘの外側に広がるように配された上部連結部４３と、を有している。
【００３１】
図１に示すように、下部連結部４１は、下部後面に背凭れ支持体２０の一対の腕部２１の後端が嵌合する位置決め凹部（図示省略）が形成されており、一対の腕部２１は該位置決め凹部に嵌合されている。そして、下部連結部４１は、該位置決め凹部にて背凭れ支持体２０の上部と例えば、ボルト・ナット（図示省略）による螺着によって固定される。さらに下部連結部４１は、下端にて背凭れ５０に連結されている。
【００３２】
図２及び図４に示すように、中間連結部４２は、下端が下部連結部４１に連結され上方に向かって配されている。また、中間連結部４２は、上方に向かうに従って幅方向Ｘの長さ寸法が漸次狭くなり、途中から上方に向かうに従って幅方向Ｘの長さ寸法が再び広くなるように形成されている。
【００３３】
この中間連結部４２は、前面が凹面、後面が凸面となるような水平断面が横向きＵ字状の形成されている。そして、中間連結部４２は、凹面状の形成された前面に、前方に向かって突出し略水平方向に延在する横リブ４２Ａが上下方向に離間して複数形成され、また前方に向かって突出し略鉛直方向に延在する縦リブ４２Ｂが椅子１の幅方向に離間して複数形成されている。本実施の形態では、横リブ４２Ａが４本形成され、これら横リブ４２Ａと交差するように縦リブ４２Ｂが２本形成されている。中間連結部４２では、水平断面が横向きＵ字状に形成されることに加えて、これら横リブ４２Ａ及び縦リブ４２Ｂにより、剛性が高められている。
【００３４】
上部連結部４３は、下端が中間連結部４２に連結され、上方に向かうに従って漸次、幅方向の外側に広がるように配されている。すなわち、上部連結部４３は、上方に向かうに従って漸次、互いに幅方向Ｘの外側に離間するように配された一対の連結片４３Ａ、４３Ｂを有し、一対の連結片４３Ａ、４３Ｂによって全体としてＶ字状に形成されている。
【００３５】
下部連結部４１、中間連結部４２及び上部連結部４３を構成する一対の連結片４３Ａ、４３Ｂは、一体成形されており、背凭れ後部支持部材４０は、全体として側面視して後方に凸となるように湾曲形成されている。
【００３６】
つまり、下部連結部４１は、湾曲しつつ全体として上方に向かうに従って後方へと向かうように傾斜している。また、上部連結部４３を構成する一対の連結片４３Ａ、４３Ｂは、湾曲しつつ上方に向かうに従って前方へと向かうように傾斜している。そして、中間連結部４２は、湾曲しつつ、上部連結部４３と下部連結部４１とを連結している。
【００３７】
（背凭れ）
図２に示すように、背凭れ５０は、着座者の背を受ける張り材５１と、該張り材５１が取り付けられ背凭れ後部支持部材４０における上部連結部４３と連結された上枠部５２と、該上枠部５２と連結されるとともに張り材５１が取り付けられた一対の縦枠部５３Ａ，５３Ｂ（５３）とを有する。
【００３８】
張り材５１は、着座者の背を受け、背の姿勢に応じて変形可能な可撓性を有する部材で構成されている。具体的には、本実施形態ではメッシュ状の部材で形成されているおり、メッシュを構成する糸材が弾性的に伸縮することにより、全体として弾性的に撓み変形可能となっている。この張り材５１は、上枠部５２と一対の縦枠部５３とで囲まれた部分に設けられ、端部がこれら上枠部５２及び一対の縦枠部５３に固定されている。
張り材５１は、端部５１ａ（図１０参照）を上枠部５２の縁部に支持することによって、背凭れ５０の前面に張設されている。
【００３９】
図２、図４、及び図５（ａ）、（ｂ）に示すように、上枠部５２は、幅方向Ｘに沿って延在して、その両端が上部連結部４３における一対の連結片４３Ａ、４３Ｂの上端にそれぞれ連結されるとともに、一対の縦枠部５３Ａ、５３Ｂの上端にそれぞれ連結されている。
【００４０】
縦枠部５３Ａ，５３Ｂはともに、張り材５１から作用する力に応じて捩れ変形可能に構成されている。また、一方の縦枠部５３Ａは、下材５７Ａと、該下材５７Ａの上端に連結された上材５６Ａとを有し、同様に他方の縦枠部５３Ｂも、下材５７Ｂと、該下材５７Ｂの上端に連結された上材５６Ｂとを有している。
【００４１】
下材５７Ａ、５７Ｂは、下端が背凭れ後部支持部材４０の下端に連結され、上方に向かうに従ってしだいに前方に向かい、且つ幅方向Ｘの側に拡開するように形成されている。また、下材５７Ａ、５７Ｂのそれぞれは、上方に向かうに従って、断面寸法が小さくなるように形成されている。
【００４２】
上材５６Ａ、５６Ｂは、着座者の背から作用する力に応じて捩れ変形可能、且つ着座者の背から作用する力で弾性変形可能に構成されている。
【００４３】
この上材５６Ａ、５６Ｂは、下端がそれぞれ対応する下材５７Ａ、５７Ｂに連結され、上端が上枠部５２及び背凭れ後部支持部材４０の一対の連結片４３Ａ、４３Ｂに連結され、上方に向かうに従って下材５７Ａ、５７Ｂよりも相対的に後方へ傾斜するように形成されている。
【００４４】
上材５６Ａ、５６Ｂは、本実施の形態では、下材５７Ａ、５７Ｂの上端から上方に向かうに従ってしだいに後方に傾斜するように形成されている。
【００４５】
このように縦枠部５３Ａ、５３Ｂは、下材５７Ａ、５７Ｂにより下部から上方に向かうに従ってしだいに前方に向かうように形成されるとともに、該下材５７Ａ、５７Ｂと上材５６Ａ、５６Ｂとの連結部分から上材５６Ａ、５６Ｂにより上方に向かうに従ってしだいに前方に向かうように形成されており、縦枠部５３Ａ、５３Ｂは、全体として前方に向かって凸となるように湾曲形成されている。
【００４６】
上記の背凭れ後部支持部材４０と縦枠部５３とは、図３に示す側面視して環状に一体成形されている。本実施の形態では、背凭れ後部支持部材４０の下部連結部４１、中間連結部４２、一方の連結片４３Ａ、一方の縦枠部５３Ａにより、側面視して環状に形成されている。また、背凭れ後部支持部材４０の下部連結部４１、中間連結部４２、他方の連結片４３Ｂ、他方の縦枠部５３Ｂにより、側面視して環状に形成されている。
すなわち、本実施の形態では、背凭れ後部支持部材４０の各部と、背凭れ５０の上枠部５２及び一対の縦枠部５３Ａ、５３Ｂとが一体成形されている。
【００４７】
ここで、上記のように構成された椅子１の座部３０に着座者が着座した場合における椅子１の背凭れ後部支持部材４０及び背凭れ５０の動作について説明しておく。
【００４８】
図１の実線及び図６（ａ）は着座者が座部３０に着座して背凭れ５０に凭れかかっていない状態の椅子１を示し、図１の二点鎖線及び図６（ｂ）は着座者が背凭れ５０に凭れかかった状態の椅子１を示す。
【００４９】
着座者が背凭れ５０に凭れかかると、背凭れ５０の張り材５１に着座者からの力が作用し、この力により張り材５１のメッシュを構成する糸材が弾性的に伸縮することにより、全体として着座者の背に沿うようにして、幅方向略中央部が後方に向かって突出するように円弧状に弾性変形する。
【００５０】
また、張り材５１が固定された縦枠部５３Ａ、５３Ｂは、張り材５１から作用する力により、その幅方向Ｘの内側を後方に向けるように弾性変形するとともに、互いに近接するように幅方向Ｘの内側に移動する。
【００５１】
この縦枠部５３Ａ、５３Ｂが弾性変形するにともない、張り材５１は幅方向Ｘの略中央部が後方に向かって突出する円弧状に一層変形することが可能となるとともに、背凭れ５０は背凭れ後部支持部材４０に支持されている。
【００５２】
さらに、着座者が、背凭れ５０の幅方向Ｘの一方側から後方へと振り向くような姿勢をとった場合には、図５（ｂ）に示すように、着座者からの荷重が、背凭れ５０の幅方向一方側に偏って作用し、偏った側の縦枠部５３Ｂに対して縦枠部５３Ｂを捩れ変形させる荷重が作用する。
【００５３】
ここで、縦枠部５３Ｂにおける上材５６Ｂが、着座者の背から作用する力で捩れ変形可能に構成されている。また、連結片４３Ａ、４３Ｂが下方に向かうに従って離間する幅を狭めるように形成され互いに接合されて中間連結部４２に連結されているため、中間連結部４２は上材５６Ｂの捩れ変形を促す構成とされている。よって、上材５６Ｂが着座者の荷重に従って着座者の背に追従するように後側方に向かって捩れて変形する。
【００５４】
また、上材５６Ｂに連結された連結片４３Ｂは、上材５６Ｂの捩れにともなって変位可能に構成されているため、縦枠部５３Ｂの後側方に向かう捩れにともなって後側方へと変位する。
背凭れ５０における張り材５１は、着座者からの荷重により、該張り材５１のメッシュを構成する糸材が弾性的に伸縮して、着座者の背を包み込むように弾性変形する。
【００５５】
このように、上材５６Ｂ、連結片４３Ｂ及び張り材５１は、着座者の背や肩の変形に追従してこれら背や肩を包み込むようにして変形する。
なお、着座者が背凭れ５０の幅方向他方側から方向へと振り向くような姿勢をとった場合も、同様に動作する。
【００５６】
このように構成された椅子１では、着座者が座部３０に着座し、着座者の背が背凭れ５０の張り材５１で受け止められると、着座者の荷重が張り材５１から一対の縦枠部５３Ａ、５３Ｂに伝えられる。縦枠部５３Ａ、５３Ｂの上材５６Ａ、５６Ｂは、背凭れ支持体２０に支持された背凭れ後部支持部材４０の上部連結部４３に連結支持され、下材５７Ａ、５７Ｂは背凭れ後部支持部材４０の下部連結部４１に連結されているため、縦枠部５３Ａ、５３Ｂ、背凭れ後部支持部材４０及び背凭れ支持体２０により着座者からの荷重を確実に支持することができる。
【００５７】
また、幅方向Ｘの一方側から後方へと振り向くような姿勢をとった場合には、着座者からの荷重は、背凭れ５０の幅方向Ｘの一方側に偏って作用し、偏った側の縦枠部５３Ａ、５３Ｂに対して縦枠部５３Ａ、５３Ｂを捩れ変形させる荷重が作用する。縦枠部５３Ａ、５３Ｂの上材５６Ａ、５６Ｂは、張り材５１から作用する力により捩れ変形するため、着座者の荷重に従って着座者の背や肩の変形に追従にするように変形して背を張り材とともに包み込むように受け止めて、背凭れ５０を後方へと傾斜させることができる。
【００５８】
また、着座者からの荷重が背凭れ５０の張り材５１から一対の縦枠部５３Ａ、５３Ｂに伝えられると、縦枠部５３Ａ、５３Ｂの上材５６Ａ、５６Ｂは捩れ変形する。上材５６Ａ、５６Ｂと連結された一対の連結片４３Ａ、４３Ｂは、上材５６Ａ、５６Ｂの捩れ変形にともなって変位する。よって、幅方向一方側から後方へと振り向くような姿勢をとった場合には、一方側の上材５６Ａ、５６Ｂが捩れ変形するとともに一方側の連結片４３Ａ、４３Ｂが変位して、背を張り材とともに包み込むように受け止めることができるため、着座者の背や肩の変形に追従した状態で安定的に支持することができる。
【００５９】
このように、縦枠部５３Ａ、５３Ｂの上材５６Ａ、５６Ｂ、張り材５１及び連結片４３Ａ、４３Ｂが、着座者の背や肩の変形に追従して、後方へと傾斜しながらこれら背や肩を安定的に支持することができる。
【００６０】
一方、縦枠部５３Ａ、５３Ｂの下材５７Ａ、５７Ｂは張り材５１とともに着座者の背より下方の腰回り等を確実に支持する。よって、幅方向一方側から後方へと振り向くような姿勢をとった場合には、下材５７Ａ、５７Ｂが張り材５１とともに着座者の腰回りを支持することができる。
【００６１】
また、着座者から後方に向かって作用する力に対しては、着座者の背が背凭れ５０の張り材５１で受け止められると、着座者の荷重が張り材５１から上枠部５２と一対の縦枠部５３Ａ、５３Ｂに伝えられる。上枠部５２は、背凭れ後部支持部材４０の一対の連結片４３Ａ、４３Ｂに連結支持され、該背凭れ後部支持部材４０は背凭れ支持体２０に支持されている。よって、上枠部５２、背凭れ後部支持部材４０及び背凭れ支持体２０により着座者からの荷重を確実に支持することができる。
【００６２】
一方、上枠部５２の幅方向Ｘの両端部に連結された一対の縦枠部５３Ａ、５３Ｂは、張り材５１から作用する力により弾性変形するため、着座者の荷重に従って着座者の背に追従するように変形して背を張り材５１とともに包み込むように受け止めることができる。このため、着座者は、安定した状態で着座することができる。
【００６３】
また、縦枠部５３Ａ、５３Ｂを構成する上材５６Ａ、５６Ｂは、張り材５１から作用する力により弾性変形するため、着座者の荷重に従って着座者の背に追従にするように変形して背を張り材５１とともに包み込むように受け止めることができる。
【００６４】
一方、縦枠部５３Ａ、５３Ｂを構成する下材５７Ａ、５７Ｂは、上方に向かうに従ってしだいに前方に傾斜するように形成されているため、着座者から後方に向かって作用する荷重を下材５７Ａ、５７Ｂの先端で受けて下材５７Ａ、５７Ｂ自体の軸力で確実に支持することができる。
【００６５】
このように縦枠部５３Ａ、５３Ｂは下材５７Ａ、５７Ｂにより下部から上方に向かうに従ってしだいに前方に向かうように形成されるとともに、該下材５７Ａ、５７Ｂと上材５６Ａ、５６Ｂとの連結部分から上材５６Ａ、５６Ｂにより上方に向かうに従ってしだいに前方に向かうように形成され、全体として前方に向かって凸となるように湾曲形成されている。よって、前後方向へは縦枠部５３Ａ、５３Ｂ自体の変形を抑制して着座者の荷重を確実に受け止めることができ、幅方向には縦枠部５３Ａ、５３Ｂ自体が内側に向かって着座者の背に追従するように撓み変形して背を包み込むように受け止めることができる。
【００６６】
また、本実施の形態における椅子１では、背凭れ後部支持部材４０の下部連結部４１と上部連結部４３との間配される中間連結部４２は、着座者の背から背凭れ５０に作用する荷重を支持する構成とされているが、図７に示すように、背凭れ後部支持部材２４０の下部連結部４１と上部連結部４３との間に配される部材を変形許容部２４２として構成した変形例による椅子２０１を採用することも可能である。
この場合、変形許容部２４２は、その下端が下部連結部４１に連結され、その上端が上部連結部４３に連結され、この変形許容部２４２の前面にはリブが形成されていない。また、変形許容部２４２は、着座者の背から背凭れ５０に作用する荷重に従って弾性変形可能である。
【００６７】
なお、図７の実線は着座者が座部３０に着座して背凭れ５０に凭れかかっていない状態の椅子２０１を示し、図７の二点鎖線は着座者が背凭れ５０に凭れかかった状態の椅子２０１を示す。
【００６８】
このように構成された椅子２０１は、着座者が背凭れ５０に凭れかかると、背凭れ５０の張り材５１に着座者からの力が作用し、この力により張り材５１は着座者の背に沿って、幅方向の略中央部が後方に向かって突出するように円弧状に変形する。
【００６９】
また、張り材５１が固定された縦枠部５３Ａ，５３Ｂは、張り材５１から作用する力により、その幅方向の内側を後方に向けるように弾性変形するとともに、互いに近接するように幅方向内側に移動する。
【００７０】
また、縦枠部５３Ａ，５３Ｂに連結された背凭れ後部支持部材２４０のうち変形許容部２４２は、着座者の背から背凭れ５０に作用する荷重に従って弾性変形可能である。よって、変形許容部２４２は、その下端を中心として、上方に向かうに従ってしだいに後方へ傾斜するように変形する。そして、変形許容部２４２の変形にともない、該変形許容部２４２の上方に配された上部連結部４３は後方に移動し、該上部連結部４３に連結された背凭れ５０はさらに後方へ傾斜することが可能となる。
【００７１】
このように構成された椅子２０１では、着座者から背凭れ５０に後方へ向かって荷重が作用すると、着座者の荷重が背凭れ５０を支持する背凭れ後部支持部材２４０に伝達される。この際、背凭れ後部支持部材２４０のうち、背凭れ支持体２０に連結された下部連結部４１と背凭れ５０に連結された上部連結部４３との間に設けられた変形許容部２４２が、上方に向かうに従ってしだいに後方に傾斜するように弾性変形する。この変形許容部２４２の変形とともに、背凭れ後部支持部材２４０に支持された背凭れ５０はその姿勢を大きく後方に傾斜させることができる。
【００７２】
次に、図４に示すように、上枠部５２は、幅方向Ｘに沿って延びる略全域が他の部位（縦枠部５３）に対して段落ちした低段部５４ａが形成された本体支持部材５４（オプション取付部）と、本体支持部材５４の低段部５４ａに外嵌する断面視でＵ字状（図４参照）の補助支持部材５５と、を備えている。
【００７３】
本体支持部材５４は、図４に示すように、下に凸となるように略Ｖ字状に屈曲する被取付面５４ｇ（図２、図８、及び図９参照）を有するとともに、前側へ向けて突出する下壁５４ｂと、下壁５４ｂの後端部から上方に向かうに従って漸次、前方に向けて傾斜するように延在する周壁５４ｃ（図１０参照）と、によって前方に開口している。本体支持部材５４は、図１０に示すように、周壁５４ｃの前面側に前側へ向けて突設し、幅方向Ｘに間隔を開けて複数のリブ片５４ｄが設けられ、且つ幅方向Ｘの中央の前端部にボルト挿入穴５４ｅが形成されている。このボルト挿入穴５４ｅには、オプション部材６０を取り付けるためのボルト６６が下面側から挿通される。このボルト６６に本体支持部材５４の内周面側でナット６７が螺合され、オプション部材６０が本体支持部材５４に固定されている。
【００７４】
ここで、下壁５４ｂの被取付面５４ｇには、オプション部材６０の取付面６３ａ、６５ａ（後述する）が面接触により取り付けられる。
また、下壁５４ｂには、図２に示すように、その下面における幅方向でボルト挿入穴５４ｅを挟んだ両側の位置に位置決め凹部５４ｈが形成されている。
そして、図１０に示すように、周壁５４ｃの下端部には、切欠段部５４ｆが形成されている。
【００７５】
補助支持部材５５は、図１０に示すように、前壁５５Ａと後壁５５Ｂとが上側で連結され、下向きに開口する断面視でＵ字形状をなし、後壁５５Ｂの内周面５５ａが本体支持部材５４の低段部５４ａに外嵌される。つまり、切欠段部５４ｆと補助支持部材５５の後壁５５Ｂの内周面５５ａとによって嵌合溝部５６が形成され、この嵌合溝部５６に張り材５１の端部５１ａが嵌合される。補助支持部材５５は、その外周面が後壁５５Ｂから前壁５５Ａへ向けて湾曲した形状をなしている。そして、前壁５５Ａの端縁５５ｃ（図４参照）は、下壁５４ｂの上面に当接した状態となっている。
【００７６】
張り材５１は、本体支持部材５４の周壁５４ｃの下端部分と、補助支持部材５５の後壁５５Ｂの内周面５５ａと、の間に挟持され、補助支持部材５５の外周面で後壁５５Ｂから前壁５５Ａに沿って延在している。また、リブ片５４ｄは、それぞれが補助支持部材５５の前壁５５Ａの内周面５５ｂに当接している。
【００７７】
この場合、張り材５１の端部５１ａが本体支持部材５４の後側の周壁５４ｃと補助支持部材５５の後壁５５Ｂとの間に挟持され、その張り材５１が補助支持部材５５の外周面で後壁５５Ｂから前壁５５Ａ側まで回り込むので、張り材５１の張力によって補助支持部材５５が本体支持部材５４に図１０に示す矢印方向に押し付けられることになる。そのため、ねじや係合手段等を使用せずに、本体支持部材５４と補助支持部材５５とを組み付けることができる。したがって、外的な手段によることなく、本体支持部材５４と補助支持部材５５との間に締付力（挟持力）を発生させることができ、張り材５１の端部５１ａを両者によって強力に挟持することができる。
【００７８】
（オプション部材）
図８及び図９に示すように、オプション部材６０は、背凭れ５０の本体支持部材５４の被取付面５４ｇに直接固定されるヘッドレスト６０Ａと、ヘッドレスト６０Ａを介して前記上枠部５２に固定されるハンガー６０Ｂと、からなる。
【００７９】
図８、図９及び図１１に示すように、ヘッドレスト６０Ａは、本体部６１と、本体部６１の前面に張設されたヘッドレスト用張り材６２（図１及び図１０参照）と、被取付面５４ｇの凸状部分に係合する取付面６３ａを有する背凭れ取付部６３と、を備えている。
本体部６１は、幅方向Ｘに沿って延在する上フレーム６１Ａ及び下フレーム６１Ｂと、上フレーム６１Ａの両端同士と下フレーム６１Ｂの両端同士を連結する一対の縦フレーム６１Ｃと、が枠状に一体成形されている。本体部６１は、一対の縦フレーム６１Ｃがそれぞれ下フレーム６１Ｂの両端部から上フレーム６１Ａの両端部に向かうに従って漸次、幅方向Ｘの中央に向かうように傾斜した略台形状に形成されている。
一対の縦フレーム６１Ｃは、それぞれ全体として前方に向かって凸となるように湾曲形成されている。つまり、縦フレーム６１Ｃは、上方へ向かうに従って漸次、前方に向かいつつ、上下方向の中央部分から上方へ向かうに従って漸次、後方に向かうように形成されている。
【００８０】
背凭れ取付部６３は、幅方向Ｘに沿って延在し、取付面６３ａを有する第１取付板６３Ａと、第１取付板６３Ａにおける前後方向Ｙの後端から上方に向けて延びるとともに、補助支持部材５５の後壁５５Ｂに後方から当接する第２取付板６３Ｂと、を備え、側面視で第１取付板６３Ａと第２取付板６３Ｂとによって略Ｌ字状に形成されている。第２取付板６３Ｂは、本体部６１の下フレーム６１Ｂに連設している。第１取付板６３Ａの取付面６３ａは、上述した被取付面５４ｇに嵌合するように、下方に向けて凸となるように形成されている。そして、第１取付板６３Ａの幅方向Ｘの中央部には、ボルト孔６３ｂ（図８参照）が形成されている。第１取付板６３Ａの取付面６３ａには、上述した被取付面５４ｇに形成されている位置決め凹部５４ｈ（図２参照）に嵌合する位置決め凸部６３ｃが形成されている。さらに第１取付板６３Ａの下面側には、後述するハンガー６０Ｂの位置決め凸部６５ｃ（図１２参照）が嵌合する位置決め凹部６３ｄが形成されている。
【００８１】
ここで、本実施の形態のヘッドレスト６０Ａは、被取付面５４ｇに対して直接取り付けられるが、例えば後述するハンガー６０Ｂ等の他のオプション部材６０の第１取付板６３Ａを介して間接的に被取付面５４ｇに取り付けることも可能である。
【００８２】
図８、図９及び図１２に示すように、ハンガー６０Ｂは、本体部６４と、被取付面５４ｇの凸状部分に係合する取付面６５ａを有する背凭れ取付部６５と、を備えている。本体部６４は、幅方向Ｘの中央に位置する基部６４ａから両側に向けて延びる支持部６４ｂを有している。
背凭れ取付部６５は、幅方向Ｘに沿って延在し、取付面６５ａを有する第１取付板６５Ａと、第１取付板６５Ａにおける前後方向Ｙの後端から上方に向けて延びるとともに、本体支持部材５４の周壁５４ｃに当接する第２取付板６５Ｂと、を備え、側面視で第１取付板６５Ａと第２取付板６５Ｂとによって略Ｌ字状に形成されている。第２取付板６５Ｂは、本体部６４の基部６４ａに連設している。第１取付板６５Ａの取付面６５ａは、上述した被取付面５４ｇに嵌合するように、下方に向けて凸となるように形成されている。そして、第１取付板６５Ａの幅方向Ｘの中央部には、ボルト孔６５ｂが形成されている。第１取付板６５Ａの取付面６５ａには、上述したヘッドレスト６０Ａの第１取付板６３Ａに形成されている位置決め凹部６３ｄに嵌合する位置決め凸部６５ｃが形成されている。
【００８３】
次に、上述した椅子の作用について、図面に基づいて詳細に説明する。
図８及び図１０に示すように、本実施の形態では、オプション部材６０のヘッドレスト６０Ａ及びハンガー６０Ｂの取付面６３ａ、６５ａが背凭れ５０の本体支持部材５４における被取付面５４ｇの凸状部分に一致する凹形状をなしているので、その取付面６３ａ、６５ａを被取付面５４ｇに対して互いの凹凸部分を嵌合させることが可能となり、オプション部材６０の幅方向Ｘの位置合わせを容易に行うことができ、オプション部材６０を背凭れ５０に効率よく取り付けることができる。
【００８４】
そして、本実施の形態の椅子では、取付面６３ａ、６５ａと被取付面５４ｇとの取り付け部分が面接触となるうえ、被取付面５４ｇを凸状とすることで、平面の場合に比べて取付け面積を大きくすることが可能となるので、取付け強度を増大させることができ、オプション部材６０の取り付け状態を安定させることができる。とくに、背凭れ５０の被取付面５４ｇをその幅方向Ｘ全体にわたる領域に設けることで、その被取付面５４ｇの幅寸法をオプション部材６０の取付面６３ａ、６５ａよりも長く取ることが可能となるので、被取付面５４ｇの幅寸法が取付面６３ａ、６５ａよりも短い場合よりも取り付け状態を安定させることができる。
しかも、本実施の形態の椅子では、前記被取付面５４ｇが下方に向けて凸となる形状であるので、いわゆるトラス効果をもたせることができ、被取付面５４ｇの強度を大きくする効果を奏する。
【００８５】
また、本実施の形態では、オプション部材６０が変形しない部位（ここでは上枠部５２（本体支持部材５４、補助支持部材５５））に支持されることによって、背凭れ５０としては上述したように建枠部５３Ａ、５３Ｂ、張り材５１、連結片４３Ａ、４３Ｂが様々な変形をして着座者の背の動きに追従できる一方、オプション部材６０自体は上枠部５２によって堅牢に支持されるので、椅子１としてより好適に使用することができる。
【００８６】
また、被取付面５４ｇ及び取付面６３ａ、６５ａが互いに上下方向を向く面であり、本体支持部材５４に対してオプション部材６０の取付面６３ａ、６５ａを上下方向に取り付けられ、その取り付け部分が背凭れ５０の前面側に向けて突出することがないので、椅子１に着座した人の背中に前記取り付け部分が当たることがないという利点がある。
【００８７】
また、ヘッドレスト６０Ａの背凭れ取付部６３が第１取付板６３Ａと第２取付板６３Ｂとによって断面視でＬ字状に形成されているので、このＬ字状部分を本体支持部材５４の周壁５４ｃに後方から当てがうだけで容易にヘッドレスト６０Ａを取り付けることができる。このとき、第２取付板６３Ｂが周壁５４ｃの後端面に当接することから、ヘッドレスト６０Ａの背凭れ取付部６３が背凭れ５０の本体支持部材５４に対して前後方向Ｙに位置決めすることができる。なお、ハンガー６０Ｂにおいても、ヘッドレスト６０Ａと同様に第２取付板６５Ｂをヘッドレスト６０Ａの第２取付板６３Ｂに当てがうだけで容易にハンガー６０Ｂを取り付けることができる。
【００８８】
また、オプション部材６０の取付面６３ａ、６５ａと背凭れ５０の被取付面５４ｇとに互いに嵌合し合う位置決め凹部５４ｈ、６３ｄと位置決め凸部６３ｃ、６５ｃとが形成されているので、取付面６３ａ、６５ａと被取付面５４ｇとの嵌合をより容易に行うことができる。
【００８９】
また、背凭れ５０が上枠部５２を備える枠部材の前面側に張り材５１を張設した構成となり、上枠部５２が後側に露出しているので、視認し易く、オプション部材６０を本体支持部材５４に対して後方からアクセスして容易に取り付けることができる。
【００９０】
また、ヘッドレスト６０Ａとハンガー６０Ｂのそれぞれの背凭れ取付部６３、６５の取付面６３ａ、６５ａ同士を上下方向に重ね合わせて、本体支持部材５４の被取付面５４ｇに対して取り付けることができる。
【００９１】
上述のように本実施の形態による椅子では、背凭れ５０側における被取付面５４ｇの面積を大きくすることで、ヘッドレスト６０Ａやハンガー６０Ｂといったオプション部材６０を強固に、且つ容易に背凭れ５０に取り付けることができる。
【００９２】
以上、本発明による椅子の実施の形態について説明したが、本発明は上記の実施の形態に限定されるものではなく、その趣旨を逸脱しない範囲で適宜変更可能である。
【００９３】
例えば、本実施の形態では本体支持部材５４（オプション取付部）の被取付面５４ｇが下方に向けて凸となる略Ｖ字形状をなしているが、このような構成に限定されることはない。例えば、被取付面５４ｇが上向きに凸状をなし、オプション部材の取付面が上向きに凹となる（下向きに凸）構成とすることも可能である。
【００９４】
また、オプション取付部の被取付面及びオプション部材の取付面は、下向き又は上向きに凸となる略Ｖ字状となる形状に限定されることはなく、各面が幅方向に沿って湾曲していてもよい。この場合、オプション取付部の被取付面が湾曲面を形成しているので、オプション部材の取付面を被取付面に沿って幅方向に動かすことができ、位置決め時の微調整が可能となる利点がある。
【００９５】
また、本実施の形態では、オプション部材６０としてヘッドレスト６０Ａとハンガー６０Ｂを採用しているが、これらのうちいずれか一方のみでも良いし、また他のオプション部材を用いることもでき、さらに背凭れに取り付けるオプション部材の数量も２に限定されず、３つ以上を取り付ける構成とすることも可能である。
【００９６】
さらに、本実施の形態では背凭れ側の被取付面が枠部材からなる背凭れ５０の上枠部５２に設けられているが、このような枠部材であることに限定されることはなく、背凭れとして機能する適宜な構成を採用することができる。
【００９７】
さらにまた、本実施の形態では、本体支持部材５４に低段部５４ａが形成され、さらにこの低段部５４ａに補助支持部材５５を外嵌させる構成とされ、それら本体支持部材５４と補助支持部材５５とによって張り材５１の端部５１ａを挟持させているが、このような構成であることに制限されることはない。要は、オプション取付部に上方および下方の少なくとも一方に向けて凸となる被取付面が設けられていれば良いのである。
【００９８】
その他、本考発明の趣旨を逸脱しない範囲で、上記した実施の形態における構成要素を周知の構成要素に置き換えることは適宜可能である。
【符号の説明】
【００９９】
１  椅子
１０  脚体
２０  背凭れ支持体
３０  座部
４０  背凭れ後部支持部材
５０  背凭れ
５１  張り材
５２  上枠部
５４  本体支持部材（オプション取付部）
５４ａ  低段部
５４ｂ  下壁
５４ｃ  周壁
５４ｄ  リブ片
５４ｅ  ボルト挿入穴
５４ｆ  切欠段部
５４ｇ  被取付面
５４ｈ  位置決め凹部
５５  補助支持部材
５５Ａ  前壁
５５Ｂ  後壁
６０  オプション部材
６０Ａ  ヘッドレスト
６０Ｂ  ハンガー
６１、６４  本体部
６２  ヘッドレスト用張り材
６３、６５  背凭れ取付部
６３Ａ、６５Ａ  第１取付板
６３Ｂ、６５Ｂ  第２取付板
６３ａ、６５ａ  取付面
６３ｃ、６５ｃ  位置決め凸部
６３ｄ  位置決め凹部
Ｘ  椅子の幅方向
Ｙ  椅子の前後方向
【図１】
2014079492.tif 000003
【図２】
2014079492.tif 000004
【図３】
2014079492.tif 000005
【図４】
2014079492.tif 000006
【図５】
2014079492.tif 000007
【図６】
2014079492.tif 000008
【図７】
2014079492.tif 000009
【図８】
2014079492.tif 000010
【図９】
2014079492.tif 000011
【図１０】
2014079492.tif 000012
【図１１】
2014079492.tif 000013
【図１２】
2014079492.tif 000014